【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
第１のユーザのデータ対話記録を取得するステップ（１１０）と；
対話記録問合せＩＤを生成するステップであって、前記対話記録問合せＩＤは前記第１のユーザの前記データ対話記録について問合せるために用いられる、前記生成するステップ（１２０）と；
前記対話記録問合せＩＤを前記第１のユーザへ送信するステップ（１３０）と；
前記第１のユーザとは異なる第２のユーザが前記対話記録問合せＩＤに基づいて開始した、前記データ対話記録についての問合せ要求を受信するステップ（１４０）と；
前記問合せ要求に応答して、前記データ対話記録を前記第２のユーザへ返すステップ（１５０）と；を備える、
対話記録問合せの処理方法。
【請求項２】
前記対話記録問合せＩＤは、問合せリンクである、
請求項１に記載の対話記録問合せの処理方法。
【請求項３】
対話記録問合せＩＤを生成する前記ステップは：
前記第１のユーザの前記データ対話記録に従って、対話記録の問合せリンクを生成するステップと；
前記問合せリンクに少なくとも部分的に従って、前記対話記録問合せＩＤを生成するステップと；を備える、
請求項１に記載の対話記録問合せの処理方法。
【請求項４】
対話記録問合せＩＤを生成する前記ステップは：
前記第１のユーザの前記データ対話記録に従って、対話記録の問合せリンクを生成するステップと；
前記問合せリンクに対応した対話記録問合せＩＤを生成するステップと；を備える、
請求項１に記載の対話記録問合せの処理方法。
【請求項５】
前記対話記録問合せＩＤを前記第１のユーザに送信する前記ステップは：
前記対話記録問合せＩＤを暗号化するステップと；
前記暗号化された対話記録問合せＩＤを送信するステップと；を備え、
前記問合せ要求に応答して、前記データ対話記録を前記第２のユーザへ返す前記ステップは：
前記暗号化された対話記録問合せＩＤを復号化するステップと；
復号化結果に基づいて、前記データ対話記録を前記第２のユーザへ返すステップと；を備える、
請求項１に記載の対話記録問合せの処理方法。
【請求項６】
前記暗号化は、前記対話記録問合せＩＤへ固定演算を適用し、前記復号化は、前記暗号化された対話記録問合せＩＤへ前記固定演算の逆演算を適用する、
請求項５に記載の対話記録問合せの処理方法。
【請求項７】
前記暗号化は鍵暗号化であり、前記復号化は鍵復号化であり、
前記暗号化された対話記録問合せＩＤを送信する前記ステップは：
前記暗号化された対話記録問合せＩＤを送信するステップに加え、鍵を送信するステップ；を備え、
前記暗号化された対話記録問合せＩＤを復号化する前記ステップは：
前記暗号化された対話記録問合せＩＤを、前記第２のユーザが入力した鍵を用いて復号化するステップ；を備える、
請求項５に記載の対話記録問合せの処理方法。
【請求項８】
前記鍵は、前記暗号化された対話記録問合せＩＤを送信する第１の送信方式とは異なる第２の送信方式で送信される、
請求項７に記載の対話記録問合せの処理方法。
【請求項９】
前記対話記録問合せＩＤを前記第１のユーザとは異なる第２のユーザへ送信するステップと；
前記第２のユーザが前記対話記録問合せＩＤに基づいて開始した、前記データ対話記録への問合せ要求を受信するステップと；
前記問合せ要求に応答して、前記データ対話記録を前記第２のユーザへ返すステップと；を更に備える、
請求項１に記載の対話記録問合せの処理方法。
【請求項１０】
前記対話記録問合せＩＤを前記第１のユーザとは異なる第２のユーザへ送信する前記ステップは：
前記第２のユーザの連絡先情報を取得するステップと；
前記第２のユーザの前記取得した連絡先情報に基づいて、前記対話記録問合せＩＤを前記第２のユーザへ送信するステップと；を備える、
請求項９に記載の対話記録問合せの処理方法。
【請求項１１】
前記対話記録問合せＩＤを前記第２のユーザへ送信する前記ステップは：
前記対話記録問合せＩＤを暗号化するステップと；
前記暗号化された対話記録問合せＩＤを送信するステップと；を更に備え、
前記問合せ要求に応答して、前記データ対話記録を前記第２のユーザへ返す前記ステップは：
前記暗号化された対話記録問合せＩＤを復号化するステップと；
復号化結果に基づいて、前記データ対話記録を前記第２のユーザへ返すステップと；を備える、
請求項１０に記載の対話記録問合せの処理方法。
【請求項１２】
前記暗号化は、前記対話記録問合せＩＤへ固定演算を適用し、前記復号化は、前記暗号化された対話記録問合せＩＤへ前記固定演算の逆演算を適用する、
請求項１１に記載の対話記録問合せの処理方法。
【請求項１３】
前記暗号化は鍵暗号化であり、前記復号化は鍵復号化であり、
前記暗号化された対話記録問合せＩＤを送信する前記ステップは：
前記暗号化された対話記録問合せＩＤを送信するステップに加え、鍵を送信するステップ；を備え、
前記暗号化された対話記録問合せＩＤを復号化する前記ステップは：
前記第２のユーザが入力した鍵を用いて、前記暗号化された対話記録問合せＩＤを復号化するステップ；を備える、
請求項１１に記載の対話記録問合せの処理方法。
【請求項１４】
前記鍵は、前記暗号化された対話記録問合せＩＤを送信する第１の送信方式とは異なる第２の送信方式で送信される、
請求項１３に記載の対話記録問合せの処理方法。
【請求項１５】
請求項１乃至請求項１４のいずれか１項に記載の対話記録問合せの処理方法を実行するように構成された複数のモジュール（４１０，  ４２０，  ４３０，  ４４０，  ４５０）を備える、
対話記録問合せの処理デバイス。
【手続補正２】
【補正対象書類名】明細書
【補正対象項目名】００９３
【補正方法】変更
【補正の内容】
【００９３】
例示の実施の形態を上で具体的に例証及び説明した；しかしながら、当業者は、特許請求の範囲の精神及び範囲から逸脱せずに、各形態及びその細部の変更が可能であることを理解するだろう。
［第１の局面］
対話記録問合せの処理方法であって：
第１のユーザのデータ対話記録を取得するステップと；
対話記録問合せＩＤを生成するステップであって、前記対話記録問合せＩＤは前記第１のユーザの前記データ対話記録について問合せるために用いられる、生成するステップと；
前記対話記録問合せＩＤを前記第１のユーザへ送信するステップと；
前記第１のユーザとは異なる第２のユーザが前記対話記録問合せＩＤに基づいて開始した、前記データ対話記録についての問合せ要求を受信するステップと；
前記問合せ要求に応答して、前記データ対話記録を前記第２のユーザへ返すステップと；を備える、
対話記録問合せの処理方法。
［第２の局面］
前記対話記録問合せＩＤは、問合せリンクである、
第１の局面に記載の対話記録問合せの処理方法。
［第３の局面］
対話記録問合せＩＤを生成する前記ステップは：
前記第１のユーザの前記データ対話記録に従って、対話記録の問合せリンクを生成するステップと；
前記問合せリンクに少なくとも部分的に従って、前記対話記録問合せＩＤを生成するステップと；を備える、
第１の局面に記載の対話記録問合せの処理方法。
［第４の局面］
対話記録問合せＩＤを生成する前記ステップは：
前記第１のユーザの前記データ対話記録に従って、対話記録の問合せリンクを生成するステップと；
前記問合せリンクに対応した対話記録問合せＩＤを生成するステップと；を備える、
第１の局面に記載の対話記録問合せの処理方法。
［第５の局面］
前記対話記録問合せＩＤを前記第１のユーザに送信する前記ステップは：
前記対話記録問合せＩＤを暗号化するステップと；
前記暗号化された対話記録問合せＩＤを送信するステップと；を備え、
前記問合せ要求に応答して前記データ対話記録を前記第２のユーザへ返すステップは：
前記暗号化された対話記録問合せＩＤを復号化するステップと；
復号化結果に基づいて、前記データ対話記録を前記第２のユーザへ返すステップと；を備える、
第１の局面に記載の対話記録問合せの処理方法。
［第６の局面］
前記暗号化は、前記対話記録問合せＩＤへ固定演算を適用し、前記復号化は、前記暗号化された対話記録問合せＩＤへ前記固定演算の逆演算を適用する、
第５の局面に記載の対話記録問合せの処理方法。
［第７の局面］
前記暗号化は鍵暗号化であり、前記復号化は鍵復号化であり；
前記暗号化された対話記録問合せＩＤを送信する前記ステップは、前記暗号化された対話記録問合せＩＤを送信するステップに加え、鍵を送信するステップを備え；
前記暗号化された対話記録問合せＩＤを復号化する前記ステップは、前記暗号化された対話記録問合せＩＤを、前記第２のユーザが入力した鍵を用いて復号化するステップを備える；
第５の局面に記載の対話記録問合せの処理方法。
［第８の局面］
前記鍵は、前記暗号化された対話記録問合せＩＤを送信する前記第１の送信方式とは異なる第２の送信方式で送信される、
第７の局面に記載の対話記録問合せの処理方法。
［第９の局面］
対話記録問合せの処理方法であって：
第１のユーザのデータ対話記録を取得するステップと；
対話記録問合せＩＤを生成するステップであって、前記対話記録問合せＩＤは前記第１のユーザの前記データ対話記録について問合せるために用いられる、生成するステップと；
前記対話記録問合せＩＤを前記第１のユーザとは異なる第２のユーザへ送信するステップと；
前記第２のユーザが前記対話記録問合せＩＤに基づいて開始した、前記データ対話記録への問合せ要求を受信するステップと；
前記問合せ要求に応答して、前記データ対話記録を前記第２のユーザへ返すステップと；を備える、
対話記録問合せの処理方法。
［第１０の局面］
前記対話記録問合せＩＤは、問合せリンクである、
第９の局面に記載の対話記録問合せの処理方法。
［第１１の局面］
対話記録問合せＩＤを生成する前記ステップは：
前記第１のユーザの前記データ対話記録に従って、対話記録の問合せリンクを生成するステップと；
前記対話記録問合せＩＤを、前記問合せリンクに少なくとも部分的に基づいて生成するステップと；を備える、
第９の局面に記載の対話記録問合せの処理方法。
［第１２の局面］
対話記録問合せＩＤを生成する前記ステップは：
前記第１のユーザの前記データ対話記録に従って、対話記録の問合せリンクを生成するステップと；
前記問合せリンクに対応した対話記録問合せＩＤを生成するステップと；を備える、
第９の局面に記載の対話記録問合せの処理方法。
［第１３の局面］
対話記録問合せＩＤを前記第１のユーザとは異なる第２のユーザに送信する前記ステップは：
前記第２のユーザの連絡先情報を取得するステップと；
前記取得した前記第２のユーザの連絡先情報に基づいて、前記対話記録問合せＩＤを前記第２のユーザへ送信するステップと；を備える、
第９の局面に記載の対話記録問合せの処理方法。
［第１４の局面］
前記対話記録問合せＩＤを前記第２のユーザへ送信する前記ステップは：
前記対話記録問合せＩＤを暗号化するステップと；
前記暗号化した対話記録問合せＩＤを送信するステップと；を更に備え、
前記問合せ要求に応答して前記データ対話記録を前記第２のユーザへ返すステップは：
前記暗号化された対話記録問合せＩＤを復号化するステップと；
復号化結果に基づいて、前記データ対話記録を前記第２のユーザへ返すステップと；を備える、
第１３の局面に記載の対話記録問合せの処理方法。
［第１５の局面］
前記暗号化は、前記対話記録問合せＩＤへ固定演算を適用し、前記復号化は、前記暗号化された対話記録問合せＩＤへ前記固定演算の逆演算を適用する、
第１４の局面に記載の対話記録問合せの処理方法。
［第１６の局面］
前記暗号化は鍵暗号化であり、前記復号化は鍵復号化であり；
前記暗号化された対話記録問合せＩＤを送信する前記ステップは、前記暗号化された対話記録問合せＩＤを送信するステップに加え、鍵を送信するステップを備え；
前記暗号化された対話記録問合せＩＤを復号化する前記ステップは、前記第２のユーザが入力した鍵を用いて、前記暗号化された対話記録問合せＩＤを復号化するステップ備える；
第１４の局面に記載の対話記録問合せの処理方法。
［第１７の局面］
前記鍵は、前記暗号化された対話記録問合せＩＤを送信する前記第１の送信方式とは異なる第２の送信方式で送信される、
第１６の局面に記載の対話記録問合せの処理方法。
［第１８の局面］
対話記録問合せの処理デバイスであって：
第１のユーザのデータ対話記録を取得するように構成された取得モジュールと；
対話記録問合せＩＤを生成するように構成された生成モジュールであって、前記対話記録問合せＩＤは、前記第１のユーザの前記データ対話記録について問合せるために用いられる、生成モジュールと；
前記対話記録問合せＩＤを前記第１のユーザへ送信するように構成された送信モジュールと；
前記第１のユーザとは異なる第２のユーザが前記対話記録問合せＩＤに基づいて開始した、前記データ対話記録についての問合せ要求を受信するように構成された受信モジュールと；
前記問合せ要求に応答して、前記データ対話記録を前記第２のユーザへ返すように構成された返しモジュールと；を備える、
対話記録問合せの処理デバイス。
［第１９の局面］
前記対話記録問合せＩＤは、問合せリンクである、
第１８の局面に記載の対話記録問合せの処理デバイス。
［第２０の局面］
前記生成モジュールは、前記第１のユーザの前記データ対話記録に従って対話記録の問合せリンクを生成し、前記問合せリンクに少なくとも部分的に従って前記対話記録問合せＩＤを生成する、
第１８の局面に記載の対話記録問合せの処理デバイス。
［第２１の局面］
前記生成モジュールは、前記第１のユーザの前記データ対話記録に従って対話記録の問合せリンクを生成し、前記問合せリンクに対応した対話記録問合せＩＤを生成する、
第１８の局面に記載の対話記録問合せの処理デバイス。
［第２２の局面］
前記送信モジュールは、前記対話記録問合せＩＤを暗号化し、前記暗号化された対話記録問合せＩＤを送信し；
前記返しモジュールは、前記暗号化された対話記録問合せＩＤを復号化し、復号化結果に基づいて、前記データ対話記録を前記第２のユーザへ返す；
第１８の局面に記載の対話記録問合せの処理デバイス。
［第２３の局面］
前記暗号化は前記対話記録問合せＩＤへ固定演算を適用し、前記復号化は、前記暗号化された対話記録問合せＩＤへ前記固定演算の逆演算を適用する、
第２２の局面に記載の対話記録問合せの処理デバイス。
［第２４の局面］
前記暗号化は鍵暗号化であり、前記復号化は鍵復号化であり；
前記暗号化された対話記録問合せＩＤを送信するステップは、前記暗号化された対話記録問合せＩＤを送信するステップに加えて、鍵を送信するステップを備え；
前記暗号化された対話記録問合せＩＤを復号化するステップは、前記暗号化された対話記録問合せＩＤを前記第２のユーザが入力した鍵を用いて復号化するステップを備える；
第２２の局面に記載の対話記録問合せの処理デバイス。
［第２５の局面］
前記鍵は、前記暗号化された対話記録問合せＩＤを送信する前記第１の送信方式とは異なる第２の送信方式で送信される、
第２４の局面に記載の対話記録問合せの処理デバイス。
［第２６の局面］
対話記録問合せの処理デバイスであって：
第１のユーザのデータ対話記録を取得するように構成された取得モジュールと；
対話記録問合せＩＤを生成するように構成された生成モジュールであって、前記対話記録問合せＩＤは、前記第１のユーザの前記データ対話記録について問合せるために用いられる、生成モジュールと；
前記対話記録問合せＩＤを前記第１のユーザとは異なる第２のユーザへ送信するように構成された送信モジュールと；
前記第２のユーザが前記対話記録問合せＩＤに基づいて開始した、前記データ対話記録への問合せ要求を受信するように構成された受信モジュールと；
前記問合せ要求に応答して、前記データ対話記録を前記第２のユーザへ返すように構成された返しモジュールと；を備える、
対話記録問合せの処理デバイス。
［第２７の局面］
前記対話記録問合せＩＤは、問合せリンクである、
第２６の局面に記載の対話記録問合せの処理デバイス。
［第２８の局面］
前記生成モジュールは、前記第１のユーザの前記データ対話記録に基づいて対話記録の問合せリンクを生成し、前記問合せリンクに少なくとも部分的に基づいて前記対話記録問合せＩＤを生成する、
第２６の局面に記載の対話記録問合せの処理デバイス。
［第２９の局面］
前記生成モジュールは、前記第１のユーザの前記データ対話記録に従って対話記録の問合せリンクを生成し、前記問合せリンクに対応した対話記録問合せＩＤを生成する、
第２６の局面に記載の対話記録問合せの処理デバイス。
［第３０の局面］
前記送信モジュールは、前記第２のユーザの連絡先情報を取得し、前記取得した前記第２のユーザの連絡先情報に基づいて、前記対話記録問合せＩＤを前記第２のユーザへ送信する、
第２６の局面に記載の対話記録問合せの処理デバイス。
［第３１の局面］
前記送信モジュールは、前記対話記録問合せＩＤを暗号化し、前記暗号化された対話記録問合せＩＤを送信し；
前記返しモジュールは、前記暗号化された対話記録問合せＩＤを復号化し、復号化結果に基づいて、前記データ対話記録を前記第２のユーザへ返す；
第３０の局面に記載の対話記録問合せの処理デバイス。
［第３２の局面］
前記暗号化は、前記対話記録問合せＩＤへ固定演算を適用し、前記復号化は、前記暗号化された対話記録問合せＩＤへ前記固定演算の逆演算を適用する、
第３１の局面に記載の対話記録問合せの処理デバイス。
［第３３の局面］
前記暗号化は鍵暗号化であり、前記復号化は鍵復号化であり；
前記暗号化された対話記録問合せＩＤを送信するステップは、前記暗号化された対話記録問合せＩＤを送信するステップに加えて、鍵を送信するステップを備え；
前記暗号化された対話記録問合せＩＤを復号化するステップは、前記暗号化された対話記録問合せＩＤを前記第２のユーザが入力した鍵を用いて復号化するステップを備える；
第３１の局面に記載の対話記録問合せの処理デバイス。
［第３４の局面］
前記鍵は、前記暗号化された対話記録問合せＩＤを送信する前記第１の送信方式とは異なる第２の送信方式で送信される、
第３３の局面に記載の対話記録問合せの処理デバイス。